(57)【要約】【課題】バドミントンラケットにストリングを張る方法を提供する。【解決手段】ストリンギング方法は、ａ）５本のストリングのうち、３本のストリングを切断して各ストリングから２本の第１の長さを有する第１ストリングを形成するステップであって、第１の長さは、各ラケットのすべてのメインストリング７および一部のクロスストリング８を張るのに十分な長さに設定されているステップと、ｂ）５本のストリングのうち、残りの２本のストリングを切断して各ストリングから３本の第２の長さを有する第２ストリングを形成するステップであって、第２の長さは、残りのクロスストリング８を張るのに十分な長さに設定されているステップと、ｃ）第１ストリングを用いてすべてのメインストリング７および一部のクロスストリング８を張るステップと、ｄ）第２ストリングを用いてクロスストリング８の残りを張るステップとを含む。【選択図】図１
2008284366.tif 000002
【特許請求の範囲】
【請求項１】
各々が複数のメインストリングおよび複数のクロスストリングを有する６本のバドミントンラケットに対して、各々が１０メートルの規定長さを有する５本のストリングを用いてストリンギングを行う方法であって、
ａ）前記５本のストリングのうち、３本のストリングを切断して各ストリングからそれぞれ２本の第１の長さを有する第１ストリングを形成するステップであって、各第１ストリングの前記第１の長さは、１本のラケットのすべてのメインストリングおよび一部のクロスストリングを張るのに十分な長さに設定されているステップと、
ｂ）前記５本のストリングのうち、残りの２本のストリングを切断して各ストリングからそれぞれ３本の第２の長さを有する第２ストリングを形成するステップであって、各第２ストリングの前記第２の長さは、前記１本のラケットの残りのクロスストリングを張るのに十分な長さに設定されているステップと、
ｃ）各ラケットにつき、１本の前記第１ストリングを用いて、該ラケットのすべてのメインストリングおよび一部のクロスストリングを張るステップと、
ｄ）各ラケットにつき、１本の前記第２ストリングを用いて、前記ラケットの前記クロスストリングの残りを張るステップと、
を備えたストリンギング方法。
【請求項２】
請求項１に記載のストリンギング方法において、前記ストリングは、該ストリングが編まれて形成されたストリング部を構成しており、前記一部のクロスストリングは、前記ストリング部の縁部の近傍に張られているストリンギング方法。
【請求項３】
請求項２に記載のストリンギング方法において、前記第１ストリングは、すべての前記メインストリングと、前記クロスストリングのうち、前記ラケットのハンドル近傍の、前記ストリング部の内側端部側に位置する３本または４本のクロスストリングとを張るのに用いられるストリンギング方法。
【請求項４】
請求項２に記載のストリンギング方法において、前記ストリング部の前記縁部近傍に張られた前記一部のクロスストリングは、互いに隣り合っているストリンギング方法。
【請求項５】
請求項１に記載のストリンギング方法おいて、前記ステップｃ）はさらに、
前記ラケットの長手軸に対して平行な中央メインストリングを形成するために、前記第１ストリングにおける両端部分から離間した中間部分を張るステップと、
前記第１ストリングを用いて前記中央メインストリングの第１の側にメインストリングをジグザグ状に張るステップと、
前記第１の側で張られた前記メインストリングのうち、最外側のメインストリングの端部において前記第１ストリングの第１端部を結ぶステップと、
前記第１ストリングを用いて前記中央ストリングの第２の側にメインストリングをジグザグ状に張るステップと、
前記第１ストリングを用いて前記ストリング部の前記内側端部側に前記一部のクロスストリングを張るステップと、
前記第１ストリングの第２端部を結ぶステップと、
を含むストリンギング方法。
【請求項６】
請求項１に記載のストリンギング方法によって作られたバドミントンラケットであって、
複数のメインストリングおよび複数のクロスストリングと、
前記メインストリングのすべておよび一部の前記クロスストリングを形成する連続する第１の長さを有する第１ストリングと、
前記クロスストリングの残りを形成する連続する第２の長さを有する第２ストリングと、
を備えたバドミントンラケット。
【請求項７】
６本のラケットに対して、規定長さの５本のストリングを用いてストリンギングを行う方法であって、前記規定長さは、１本のラケットを張るのに必要とされる最小限のストリング長さを２０％超える長さであり、各ラケットは複数のメインストリングおよび数多くのクロスストリングを有している方法において、
ａ）前記５本のストリングのうち、３本のストリングを切断して各ストリングからそれぞれ２本の第１の長さを有する第１ストリングを形成するステップであって、各第１ストリングの前記第１の長さは、１本のラケットのすべてのメインストリングおよび一部のクロスストリングを張るのに十分な長さに設定されているステップと、
ｂ）前記５本のストリングのうち、残りの２本のストリングを切断して各ストリングからそれぞれ３本の第２の長さを有する第２ストリングを形成するステップであって、各第２ストリングの前記第２の長さは、前記１本のラケットの残りのクロスストリングを張るのに十分な長さに設定されているステップと、
ｃ）各ラケットにつき、１本の前記第１ストリングを用いて、該ラケットのすべてのメインストリングおよび一部のクロスストリングを張るステップと、
ｄ）各ラケットにつき、１本の前記第２ストリングを用いて、前記ラケットの前記クロスストリングの残りを張るステップと、
を含むことを特徴とするストリンギング方法。
【発明の詳細な説明】
【技術分野】
【０００１】
本発明は、ラケットにストリングを張るストリンギング方法に関し、より詳細には、ストリングを張るプロセスにおいて所定の長さを有するストリングをバドミントンラケットに張ることに関する。
【背景技術】
【０００２】
バドミントンラケットは、ストリングを挿通させるための複数のストリング孔が間隔をあけて形成された卵型のフレームを含む。ストリングが張られるストリング部は、ラケットの長手軸にほぼ平行に延びる複数のメインストリングと、メインストリングに対して垂直に張られたクロスストリングとを有する。
【０００３】
ラケットのストリング部にストリングを張るとき、フレームは固定具によって保持され、ストリングが手作業でストリング孔に挿通され、各種器具によりフレームに張られる。新しいラケットにストリングを張るときのみならず、ストリングは、使用中に磨耗して切断したり張力を失う可能性があるため、ラケットの最適な性能を維持するために定期的に張り替えられる必要がある。
【０００４】
従来、所定長さを有する１本のストリングでバドミントンラケットを張る場合、技術者は、まず、ストリングの両端部分から離れた中間部分をフレームに張って、フレームの中央部分に中央メインストリングを形成する。その後、中央メインストリングの第１の側において、複数のメインストリングが張られる。これらのメインストリングは、フレームの長手方向における両端部間で延びるように、かつ隣り合うストリング孔間でループ状に形成されるように張られ、最外側のメインストリングが張られた後、ストリングの端部がフレームに対して結ばれる。次に、ストリングの残りの部分を用いて、中央メインストリングの第２の側におけるメインストリング、およびクロスストリングを張り、最後のクロスストリングが張られた後、ストリングがフレームに対して結ばれる。最後に、結び目を越える余分なストリングが切断される。別のストリンギングでは、ストリングは、まず２つの部分に切断され、一方の部分がメインストリングを張るために用いられ、他方の部分がクロスストリングを張るために用いられる。このストリンギングでは、ストリングの４つの端部が別々に結ばれる。
【発明の開示】
【発明が解決しようとする課題】
【０００５】
バドミントンラケット用のストリングは、一本のラケットのメインストリングおよびクロスストリングの両方を張るのに十分な長さで販売されている。ストリンギングの際の余裕、様々なフレームおよびストリング・パターンを許容するための余裕、ストリング端部を結わえるための余裕等を考慮して、バドミントンラケット用に販売されている１本のストリングは、規定上、長さが１０メートルとされている。上述した、１本のストリングで張る方法および１本のストリングを切断して第１および第２部分で張る方法の両方において、ストリンギング後には、ストリング長さの２０パーセントに相当する１つまたは２つのストリング切断部分が残る。この切断部分は、該切断部分がストリンギングに用いることができないこと、およびストリングの性能を損なうことを回避する観点から４つより多くの結び目を一本のラケットに形成するべきではないと一般に認識されていることから廃棄される。
【０００６】
従って、ストリングの性能を損なうことなく、そのようなストリング切断部分を減らす必要性があることは理解されるであろう。本発明の目的は、この必要性を満たし、バドミントンラケットにストリングを張るための改善されたストリンギング方法を提供することである。
【課題を解決するための手段】
【０００７】
本発明に係るストリンギング方法は、各々が複数のメインストリングおよび複数のクロスストリングを有する６本のバドミントンラケットに対して、各々が１０メートルの規定長さを有する５本のストリングを用いてストリンギングを行う方法であり、
ａ）前記５本のストリングのうち、３本のストリングを切断して各ストリングからそれぞれ２本の第１の長さを有する第１ストリングを形成するステップであって、各第１ストリングの前記第１の長さは、１本のラケットのすべてのメインストリングおよび一部のクロスストリングを張るのに十分な長さに設定されているステップと、
ｂ）前記５本のストリングのうち、残りの２本のストリングを切断して各ストリングからそれぞれ３本の第２の長さを有する第２ストリングを形成するステップであって、各第２ストリングの前記第２の長さは、前記１本のラケットの残りのクロスストリングを張るのに十分な長さに設定されているステップと、
ｃ）各ラケットにつき、１本の前記第１ストリングを用いて、該ラケットのすべてのメインストリングおよび一部のクロスストリングを張るステップと、
ｄ）各ラケットにつき、１本の前記第２ストリングを用いて、前記ラケットの前記クロスストリングの残りを張るステップと、を含む。
【０００８】
本発明のストリンギング方法では、ステップａ）〜ｄ）を順番に行う必要はない。例えば、第１のラケットのストリンギングは、５本のストリングのうち２本のみを切断した後に行ってもよい。この場合、一方のストリングは、その第１のラケットのメインストリングのすべておよび一部のクロスストリングを張るのに十分な長さである第１の長さを有する第１ストリングを形成するのに用い、他方のストリングは、その第１のラケットのクロスストリングの残りを張るのに十分な長さである第２の長さを有する第２ストリングを形成するのに用いる。前記他方のストリングの残り部分は、第２ストリングの長さのほぼ２倍の長さであり、その残り部分は次のラケットに張るのに用いられる。
【０００９】
本発明の好ましい実施形態では、前記ストリングは、該ストリングが編まれて形成されたストリング部を構成しており、前記一部のクロスストリングは、前記ストリング部の縁部の近傍に張られている。この構成に代えて、前記一部のクロスストリングは、ストリング部の前記縁部の反対側の縁部の近傍に張ってもよい。好ましくは、前記第１ストリングは、すべての前記メインストリングと、前記クロスストリングのうち、前記ラケットのハンドル近傍の、前記ストリング部の内側端部側に位置する３本または４本のクロスストリングとを張るのに用いられる。
【００１０】
好ましくは、前記ストリング部の前記縁部近傍に張られた前記一部のクロスストリングは、互いに隣り合っている。また、前記一部のクロスストリングは、互いに隣り合っていなくてもよく、その場合、第２ストリングから形成されるクロスストリングが、前記一部のクロスストリング間に介在している。
【００１１】
好ましくは、前記ステップｃ）はさらに、
前記第１ストリングにおける両端部分から離間した中間部分を張って、前記ラケットの長手軸に平行な中央メインストリングを形成するステップと、
前記第１ストリングを用いて前記中央メインストリングの第１の側にメインストリングをジグザグ状に張るステップと、
前記第１の側で張られた前記メインストリングのうち、最外側のメインストリングの端部において前記第１ストリングの第１端部を結ぶステップと、
前記第１ストリングを用いて前記中央ストリングの第２の側にメインストリングをジグザグ状に張るステップと、
前記第１ストリングを用いて前記ストリング部の前記内側端部側に前記一部のクロスストリングを張るステップと、
前記第１ストリングの第２端部を結ぶステップと、を含む。
【００１２】
また、本発明に係るバドミントンラケットは、上記のストリンギング方法によって作られたラケットであり、複数のメインストリングおよび複数のクロスストリングと、前記メインストリングのすべておよび一部の前記クロスストリングを形成する連続する第１の長さを有する第１ストリングと、前記クロスストリングの残りを形成する連続する第２の長さを有する第２ストリングとを含む。
【００１３】
さらに、本発明に係る他のストリンギング方法は、６本のラケットに対して、規定長さの５本のストリングを用いてストリンギングを行う方法であり、この場合、前記規定長さは、１本のラケットを張るのに必要とされる最小限のストリング長さを２０％超える長さであり、各ラケットは複数のメインストリングおよび数多くのクロスストリングを有している。そして、前記ストリンギング方法は、
ａ）前記５本のストリングのうち、３本のストリングを切断して各ストリングからそれぞれ２本の第１の長さを有する第１ストリングを形成するステップであって、各第１ストリングの前記第１の長さは、１本のラケットのすべてのメインストリングおよび一部のクロスストリングを張るのに十分な長さに設定されているステップと、
ｂ）前記５本のストリングのうち、残りの２本のストリングを切断して各ストリングからそれぞれ３本の第２の長さを有する第２ストリングを形成するステップであって、各第２ストリングの前記第２の長さは、前記１本のラケットの残りのクロスストリングを張るのに十分な長さに設定されているステップと、
ｃ）各ラケットにつき、１本の前記第１ストリングを用いて、該ラケットのすべてのメインストリングおよび一部のクロスストリングを張るステップと、
ｄ）各ラケットにつき、１本の前記第２ストリングを用いて、前記ラケットの前記クロスストリングの残りを張るステップと、を含む。
【００１４】
上記構成において、第２ストリングの第２の長さは、好ましくはストリングの規定長さの３分の１に相当する。
【発明の効果】
【００１５】
本発明に係るストリンギング方法によれば、一般に販売されている１０メートル長さのストリングを用いて６本以上のバドミントンラケットを張る場合において、コストを削減することが可能となる。
【発明を実施するための最良の形態】
【００１６】
本発明の方法によってストリング（ガット）が張られた６本のバドミントンラケットのそれぞれのヘッド部は、図１に示すように、ストリング部（string bed）２を囲む卵型のフレーム１を含む。フレーム１は、ハンドル４の長手軸３の方向に細長に延びている。ハンドル４は、フレーム１の、外側端部６に対向する内側端部５に固定されている。
【００１７】
ストリング部２は、縦方向（長手軸３の方向）に延びる互いにほぼ平行な複数のメインストリング７と、メインストリング７に対してほぼ垂直に延びるクロスストリング８とを含む。図に示す好ましい実施例において、ラケットは２２本のメインストリング７と２１本のクロスストリング８とを有する。フレーム１の周面には、図略のグロメットが間隔をあけて設けられており、各グロメットは、ストリングが挿通される（Ａ１、Ｂ１、Ｃ１、Ｄ１等が付された）ストリング孔を有する。一部のストリング孔には、メインストリングおよびクロスストリングの両方が挿通される。図２〜図７において、例えばストリング孔Ａ１、Ｂ１、Ｃ１、Ｄ１間のループ９が、バドミントンラケットにストリングを張るストリンギング・パターンを概略的に説明するために示されている。また、第１の長さを有する第１ストリングを用いて形成されたクロスストリング８は、第２の長さを有する第２ストリングを用いて形成されたクロスストリング８と区別するために太線で示されている。
【００１８】
本発明の利点は、規定長さである１０メートルの５本のストリングを用いて６本のバドミントンラケットにストリングを張ることによって得られる。５本の１０メートルのストリングのうち、３本のストリングが半分の長さに切断されて６本の、第１の長さを有する第１ストリングが形成される。また、残りの２本のストリングが３等分の長さに切断されて６本の、第２の長さを有する第２ストリングが形成される。すなわち、各々が５ｍ長さの６本の第１ストリングと、各々が約３．３ｍ長さの６本の第２ストリングとが形成される。そして、各ラケットにつき、１本の第１ストリングおよび１本の第２ストリングがストリンギングに用いられる。各第１ストリングの第１の長さは、１本のラケットのメインストリング７のすべておよび所定の本数（例えば、３または４本）のクロスストリング８を張るのに十分な長さである。各第２ストリングの第２の長さは、クロスストリング８の残りの本数を張るのに十分である。
【００１９】
図２を参照しながら、バドミントンラケットにストリングを張る説明を行う。まず、第１の長さを有する第１ストリングの第１端部をストリング孔Ｃ１に通し、第１ストリングの、両端部から離間した中間部を、外側端部６側のストリング孔Ｃ１からストリング孔Ｄ１にかけて張ることにより、長手軸３の第１の側に寄った中心メインストリング７が形成される。次に、長手方向に対向する内側端部５および外側端部６のそれぞれに形成された隣り合うストリング孔間でループを作りながら、第１ストリングをストリング孔間で交互またはジグザグに走らせ第１の側でメインストリング７の残りを張る。ストリング孔Ｃ１５からストリング孔Ｄ１２を通る最外側のメインストリング７を張り終えた後、第１ストリングの第１端部をストリング孔Ｄ７の近傍で結わえる。次に、長手軸３の第２の側において、第１の長さの第２端部をストリング孔Ａ１に通し、第１ストリングをストリング孔Ａ１からストリング孔Ｂ１にかけて張る。以下、第１の側でストリングを張った方法と同様に、ストリング孔Ａ１５からストリング孔Ｂ１２を通る最外側のメインストリング７を張るまで交互のパターンでストリンギングを行う。次に、第１ストリングの残り部分は、ストリング孔Ｂ１２からストリング孔Ｂ１１、Ｄ１１、Ｄ１０、Ｂ１０，Ｂ９、Ｄ９に挿通され、３本の隣り合うクロスストリング８が内側端部５側に張られる。この後、第１ストリングの第２端部をＤ８の近傍で結わえる。
【００２０】
図２に示すように、ストリング部２を完成させるために、第２の長さを有する第２ストリングを用いてクロスストリング８の残りが張られる。まず、第２ストリングの第１端部をストリング孔Ｂ８の近傍で結んだ後、第２ストリングを、ストリング孔Ｂ１０，Ｂ９間で、例えば巻き数が３つのコイル状に形成されたループ９に通し、外側端部６に向かってジグザグ状にストリング孔Ｂ１２、Ｄ１２等に順次挿通させる。そして、第２ストリングをストリング孔Ａ８に挿通させた後、第２ストリングの第２端部をストリング孔Ａ５の近傍で結ぶ。
【００２１】
図３は、本発明による、６本のバドミントンラケットにストリングを張るための第２のストリング・パターンを示しており、このパターンでは、第１の長さを有する第１ストリングを用いて各ラケットの内側端部５側に４本の隣り合うクロスストリング８を張る。第２のストリング・パターンによるストリンギングは、図２で示す方法と同様な方法で開始されるが、ストリング孔Ｃ１５からストリング孔Ｄ１２を通る最外側のメインストリング７が張られた後、第１ストリングの第１端部は、ストリング孔Ｄ１１、Ｂ１１、Ｂ１２、Ｄ１２、Ｄ１０、Ｂ１０、Ｂ９、Ｄ９の順に挿通されて張られる。この後、第１ストリングの第１端部は、ストリング孔Ｄ８の近傍で結わえられる。次に、第２ストリングの第１端部がストリング孔Ｂ７の近傍で結わえられた後、第２ストリングは、ストリング孔Ｂ１３等に通されてクロスストリング８として張られ、最後に、ストリング孔Ｃ８に挿通された後、第２ストリングの第２端部がストリング孔Ｃ５の近傍で結わえられる。
【００２２】
図４は、第３のストリング・パターンを示す。このパターンでは、第１ストリングを用いて内側端部５側に４本の隣り合わないクロスストリング８を張る。第３のストリング・パターンによるストリンギングは、図２で示す方法と同様な方法で開始されるが、ストリング孔Ｃ１５からストリング孔Ｄ１２を通る最外側のメインストリング７が張られた後、第１ストリングの第１端部は、ストリング孔Ｄ１３、Ｂ１３、Ｂ１１、Ｄ１１、Ｄ１０、Ｂ１０、Ｂ９、Ｄ９の順に挿通されて張られ、ストリング孔Ｄ８の近傍で結わえられる。次に、第２ストリングの第１端部がストリング孔Ｄ７の近傍で結ばれた後、第２ストリングは、ストリング孔Ｄ１２、Ｂ１２、Ｂ１４、Ｄ１４等に挿通されてクロスストリング８として張られ、最後に、ストリング孔Ａ８に挿通された後、第２ストリングの第２端部がストリング孔Ａ５の近傍で結ばれる。
【００２３】
図５は、第４のストリング・パターンを示しており、このパターンでは、第１ストリングを用いて内側端部５側に３本の隣り合うクロスストリング８を張る。第４ストリング・パターンによるストリンギングは、図２で示す方法と同様な方法で開始されるが、ストリング孔Ｃ１５からストリング孔Ｄ１２を通る最外側のメインストリング７が張られた後、第１ストリングの第１端部は、ストリング孔Ｄ１１、Ｂ１１、Ｂ１０、Ｄ１０、Ｄ９、Ｂ９の順に挿通されて張られ、ストリング孔Ｂ８の近傍で結ばれる。次に、第２ストリングの第１端部がストリング孔Ｄ８の近傍で結ばれた後、第２ストリングは、ストリング孔Ｄ１２、 Ｂ１２、Ｂ１３、Ｄ１３等に挿通されてクロスストリング８として張られ、ストリング孔Ｃ８に挿通された後、第２ストリングの第２端部がストリング孔Ｃ５の近傍で結ばれる。第１ストリングの第１端部は、ストリング孔Ｄ１０に挿通された後、第２ストリングに数回巻きつけられた状態でストリング孔Ｄ９に挿通されている。
【００２４】
図６は、第５のストリング・パターンを示しており、このパターンでは、第１ストリングを用いて内側端部５側に３本の隣り合うクロスストリング８を張る。第５ストリング・パターンによるストリンギングは、図２で示す方法と同様な方法で開始されるが、ストリング孔Ｃ１５からストリング孔Ｄ１２を通る最外側のメインストリング７が張られた後、第１ストリングの第１端部は、ストリング孔Ｄ１１、Ｂ１１、Ｂ１０、Ｄ１０、Ｄ９、Ｂ９の順に挿通されて張られ、ストリング孔Ｂ８の近傍で結ばれる。次に、第２ストリングの第１端部がストリング孔Ｄ８の近傍で結ばれた後、第２ストリングは、ストリング孔Ｄ１２、 Ｂ１２、Ｂ１３、Ｄ１３等に挿通されてクロスストリング８として張られ、ストリング孔Ｃ８に挿通された後、第２ストリングの第２端部がストリング孔Ｃ５の近傍で結ばれる。
【００２５】
図７は、第６のストリング・パターンを示しており、このパターンでは、第１ストリングを用いて内側端部５側に３本の隣り合うクロスストリング８を張る。第６ストリング・パターンによるストリンギングは、図２で示す方法と同様な方法で開始されるが、ストリング孔Ｃ１５からストリング孔Ｄ１２を通る最外側のメインストリング７が張られた後、第１ストリングの第１端部は、ストリング孔Ｄ１０、Ｂ１０、Ｂ１１、Ｄ１１、Ｄ９、Ｂ９の順に挿通されて張られ、ストリング孔Ｂ８の近傍で結ばれる。次に、第２ストリングの第１端部がストリング孔Ｄ８の近傍で結ばれた後、第２ストリングは、ストリング孔Ｄ１２、Ｂ１２、Ｂ１３、Ｄ１３等に挿通されてクロスストリング８として張られ、ストリング孔Ｃ８に挿通された後、第２ストリングの第２端部がストリング孔Ｃ５の近傍で結ばれる。
【００２６】
以上、本発明をバドミントンラケットに適用した場合につき説明してきたが、本発明は、１本のラケットを張るのに最小限必要な長さを２０％超える長さで購入されるストリングを用いる、例えばテニスラケット、スカッシュラケットにも適用可能である。その場合、ストリングのうちの２本を切断して、それぞれがストリング長さの３分の１の長さを有する６本の第２ストリングを形成し、その第２ストリングを用いてクロスストリングを張れば、ラケット１本につき、ストリング長さの約３．３％にあたる分のストリングが余る。
【００２７】
本発明を好ましい実施形態により図示し、説明してきたが、当業者には、特許請求の範囲に含まれる本発明の範囲から逸脱することなく、形状または細部に各種の変更を加えることが可能であることは理解されるであろう。
【図面の簡単な説明】
【００２８】
【図１】本発明によってストリングが張られたバドミントンラケットを示す概略図である。
【図２】図１のバドミントンラケットの概略図であり、第２ストリングを太線で示している。
【図３】本発明の第２の方法によってストリングが張られたバドミントンラケットの概略図である。
【図４】本発明の第３の方法によってストリングが張られたバドミントンラケットの概略図である。
【図５】本発明の第４の方法によってストリングが張られたバドミントンラケットの概略図である。
【図６】本発明の第５の方法によってストリングが張られたバドミントンラケットの概略図である。
【図７】本発明の第６の方法によってストリングが張られたバドミントンラケットの概略図である。
【符号の説明】
【００２９】
１  フレーム
２  ストリング部
３  長手軸
４  ハンドル
５  内側端部
６  外側端部
７  メインストリング
８  クロスストリング
９  ループ
【図１】
2008284366.tif 000003
【図２】
2008284366.tif 000004
【図３】
2008284366.tif 000005
【図４】
2008284366.tif 000006
【図５】
2008284366.tif 000007
【図６】
2008284366.tif 000008
【図７】
2008284366.tif 000009